(57)【要約】【課題】再利用が容易で、博覧会の出展に要するコストの低減と、廃棄物削減による環境負荷の低減とを図れ、しかも汎用性の高い、博覧会用工業製品の展示棚を実現する。【解決手段】少なくとも１対の支柱パネル１、１と、上部結合梁５と、展示フレーム２、２と、展示プレート３、３とを備える。各支柱パネル１、１は、水平方向に間隔をあけてそれぞれが鉛直方向に、且つ、互いに平行に配置する。上記上部結合梁５は、上記両支柱パネル１、１の互いに対向する側面のうちの上端部に水平方向両端部を、係脱自在なねじ構造物により結合固定する。又、上記各展示フレーム２、２は、上記上部結合梁５よりも下方位置で、上記両支柱パネル１、１の互いに対向する側面同士の間に設置する。更に、上記各展示プレート３、３は、上面に展示物を載置する為のもので、上記展示フレーム２、２に支持する。【選択図】図６
2008093429.tif 000002
【特許請求の範囲】
【請求項１】
水平方向に間隔をあけてそれぞれが鉛直方向に、且つ、互いに平行に配置された、少なくとも１対の支柱パネルと、これら両支柱パネルの互いに対向する側面のうちの上端部に水平方向両端部を、係脱自在なねじ構造物により結合固定された上部結合梁と、この上部結合梁よりも下方位置で上記両支柱パネルの互いに対向する側面同士の間に、係脱自在なねじ構造物により設置された展示フレームと、この展示フレームに支持された、上面に展示物を載置する為の展示プレートとを備えた博覧会用工業製品の展示棚。
【請求項２】
各支柱パネルの互いに対向する側面のうちの上下方向中間部にサポート板の水平方向両端部を、係脱自在なねじ構造物により結合固定し、展示フレームをこのサポート板の上方に設置している、請求項１に記載した博覧会用工業製品の展示棚。
【請求項３】
展示フレームの下方に収納ボックスを、少なくとも１枚の支柱パネルの一部に電源コンセントを、それぞれ設けている、請求項１〜２のうちの何れか１項に記載した博覧会用工業製品の展示棚。
【請求項４】
展示フレームは、上方又は下方が開いたコ字形である１対の側枠の上端部又は下端部同士を結合枠により互いに結合したものであり、これら両側枠を構成する、それぞれ支柱パネルの奥行き方向に間隔をあけて鉛直方向に配置された１対ずつの支柱枠に、上下方向に等間隔に複数の取付孔を設けており、何れかの取付孔を挿通した取り付け用杆状部材により上記支柱パネルの間口方向に掛け渡された水平枠に展示プレートが載置されており、この展示プレートに、展示物を支持固定する為の支持孔が規則的に設けられている、請求項１〜３のうちの何れか１項に記載した博覧会用工業製品の展示棚。
【請求項５】
少なくとも支柱パネルの外側面が木質であって、この支柱パネルの外側面を含む木質部分が、燻蒸処理された木材又は合板製であり、展示プレートは光透過性の合成樹脂製である、請求項１〜４のうちの何れか１項に記載した博覧会用工業製品の展示棚。
【請求項６】
１対の支柱パネルの互いに対向する側面同士の間に設置された展示フレームは、これら両支柱パネルの互いに対向する側面にそれぞれ設けられた、この側面から凹入した凹部内に支持されている、請求項１〜５のうちの何れか１項に記載した博覧会用工業製品の展示棚。
【請求項７】
凹部が、支柱パネルの側面同士を貫通する状態で設けた窓開口部である、請求項６に記載した博覧会用工業製品の展示棚。
【発明の詳細な説明】
【技術分野】
【０００１】
この発明は、博覧会で、見学者の為に工業製品を展示する展示棚の改良に関する。具体的には、再利用を容易にすると共に、設置及び撤去に要する時間の短縮を可能にして、博覧会の出展に要するコストを低減すると共に、廃棄物を削減して環境負荷の低減を図るものである。
【背景技術】
【０００２】
博覧会で工業製品等を展示するには展示棚を使用するが、従来はこの展示棚を、博覧会毎に木材を切断して造っていた。即ち、大工等の職人が、博覧会毎に出展者の意向に沿って一品製作し、博覧会終了後は壊して廃材を捨てていた。この為、展示棚の構築に要する時間及び材料費が嵩み、博覧会の出展に要するコストが高くなるだけでなく、博覧会毎に大量の廃棄物が生じる事による環境負荷の増大も問題となっている。
【０００３】
これに対して、特許文献１〜５には、構成各部材を分解・組立可能とした、展示棚に関する発明が記載されている。これら各特許文献に記載された分解組立式の展示棚によれば、博覧会の出展に要するコスト、並びに、環境負荷の低減を図れる。但し、上記各特許文献に記載された展示棚は、棚板が水平のままであったり（特許文献１、２に記載された発明の場合）、展示品の種類が限定されて、工業製品一般の展示に使用可能な汎用性の高い構造ではない（特許文献３〜５に記載された発明の場合）。尚、本発明に関連し、展示装置に、コード等の電気配線関連物品を装着する発明を記載した刊行物として、特許文献６、７がある。
【０００４】
【特許文献１】特開２００２−１６５６７９号公報
【特許文献２】特開２００４−１６３７７号公報
【特許文献３】特開２００４−３３４９２号公報
【特許文献４】特開２００４−１９４９３１号公報
【特許文献５】特開２００５−１６８９８５号公報
【特許文献６】特開平５−２３７０２７号公報
【特許文献７】特開平９−９２４１８号公報
【発明の開示】
【発明が解決しようとする課題】
【０００５】
本発明は、上述の様な事情に鑑み、再利用を容易にし、且つ、設置及び撤去に要する時間の短縮を図る事により、博覧会の出展に要するコストを低減すると共に、廃棄物を削減して環境負荷の低減を図れ、しかも工業製品一般の展示に使用可能な、汎用性の高い博覧会用工業製品の展示棚を実現すべく発明したものである。
【課題を解決するための手段】
【０００６】
本発明の博覧会用工業製品の展示棚は、少なくとも１対の支柱パネルと、上部結合梁と、展示フレームと、展示プレートとを備える。
このうちの各支柱パネルは、水平方向に間隔をあけてそれぞれが鉛直方向に、且つ、互いに平行に（互いに対向する側面同士を平行にした状態で）配置されている。
又、上記上部結合梁は、上記両支柱パネルの互いに対向する側面のうちの上端部に水平方向両端部を、係脱自在なねじ構造物により結合固定されている。
又、上記展示フレームは、上記上部結合梁よりも下方位置で、上記両支柱パネルの互いに対向する側面同士の間に（例えば請求項６に記載した様に、互いに対向する側面にそれぞれ設けられた、この側面から凹入した凹部内に支持された状態で）設置されている。
更に、上記展示プレートは、上面に展示物を載置する為のもので、上記展示フレームに支持されている。
【０００７】
この様な本発明の博覧会用工業製品の展示棚を実施する場合に、例えば請求項２に記載した発明の様に、上記両支柱パネルの互いに対向する側面のうちの上下方向中間部にサポート板の水平方向両端部を、係脱自在なねじ構造物により結合固定する。そして、上記展示フレームを、上記サポート板の上方に、やはり係脱自在なねじ構造物により設置する。  或いは、請求項３に記載した発明の様に、上記展示フレームの下方に収納ボックスを、少なくとも１枚（一方）の支柱パネルの一部（例えば凹部内）に電源コンセントを、それぞれ設ける。
或いは、請求項４に記載した様に、上記展示フレームを、上方又は下方が開いたコ字形である１対の側枠の上端部又は下端部同士を、結合枠により互いに結合したものとする。又、これら両側枠を構成する、それぞれ支柱パネルの奥行き方向に間隔をあけて鉛直方向に配置された１対ずつの支柱枠に、上下方向に等間隔に複数の取付孔を設ける。そして、何れかの取付孔を挿通した取り付け用杆状部材により上記支柱パネルの間口方向に掛け渡された水平枠に展示プレートを載置する。更に、この展示プレートに、展示物を支持固定する為の支持孔を規則的に設ける。
或いは請求項５に記載した様に、少なくとも上記両支柱パネルの外側面を木質とする。そして、この支柱パネルの外側面を含む木質部分を、燻蒸処理された木材又は合板製とする。又、上記展示プレートは、光透過性の合成樹脂製とする。
又、請求項６に記載した様に、上記展示フレームを、上記両支柱パネルに設けた凹部内に支持する場合には、請求項７に記載した様に、この凹部を、この支柱パネルの側面同士を貫通する状態で設けた窓開口部とする事ができる。
【発明の効果】
【０００８】
上述の様に構成する本発明の博覧会用工業製品の展示棚は、係脱自在なねじ構造物により、熟練の作業者でなくても、１対の支柱パネルと展示フレームと上部結合梁とを、組立、更に分解できる。又、展示フレーム上に展示プレートを設置する事も、容易に行えて、設置及び撤去に要する時間の短縮を図れる。この為、展示棚全体の組立に要する時間が短くて済み、博覧会の準備に要する時間を短縮できる他、複数の博覧会に展示する場合に於ける、展示棚の設置に要するコストを削減できる。又、展示プレートを傾斜した状態で設置できる他、各種工業製品一般の展示を行えて、各種工業製品展示会に使用できる。更に、廃棄物を削減して環境負荷の低減を図れる。
【発明を実施するための最良の形態】
【０００９】
図１〜１５は、本発明の実施の形態を示している。本発明の博覧会用工業製品の展示棚は、互いに間隔をあけてそれぞれ鉛直方向に配置した複数枚の支柱パネル１、１ａ同士の間に展示フレーム２、２を掛け渡し、これら各展示フレーム２、２に、それぞれ展示プレート３、３を支持し、これら各展示プレート３、３の上面に、工業製品等の展示物を載置する様にしている。上記各支柱パネル１、１ａとして図示の例では、（水平面に関する）横断面形状が直線形である平板状の支柱パネル１、１と、横断面形状がくさび形（二等辺三角形）である支柱パネル１ａとを適宜組み合わせて、図１３の（Ａ）〜（Ｄ）に示す様な、各種レイアウトを実現可能としている。この図１３からも明らかな通り、本発明の博覧会用工業製品の展示棚は、単一の展示棚ユニット４で使用する他、複数組の展示棚ユニット４、４ａ、４ｂを連接した状態で使用する。尚、上記各支柱パネル２、２の外側面は木質とし、これら各支柱パネル２、２の外側面を含む木質部分を、燻蒸処理された木材又は合板製としている。この構成により、木材としての意匠を確保し、且つ、林業の盛んな国等、生の木材の持ち込みを禁止している国への持ち込みを可能にしている。
【００１０】
例えば、図６の中央部に記載した、１組の展示棚ユニット４は、それぞれが平板状である１対の支柱パネル１、１と、円筒状の上部結合梁５と、２組の展示フレーム２、２と、複数枚の展示プレート３、３とを備える。このうちの両支柱パネル１、１は、水平方向に間隔をあけてそれぞれが鉛直方向に、且つ、互いに平行に（互いに対向する側面同士を平行にした状態で）配置されている。又、上記上部結合梁５は、上記両支柱パネル１、１の互いに対向する側面のうちの上端部に水平方向両端部を結合固定して、これら両支柱パネル１、１の倒れを防止している。上記上部結合梁５の両端部とこれら両支柱パネル１、１の上端部側面との結合は、これら両支柱パネル１、１の上端部に形成した通孔を、上記上部結合梁５の両端部に設けたねじ孔（ナットを含む）に螺合し更に締め付ける等、係脱自在なねじ構造物により行なっている。又、本例の場合には、上記上部結合梁５を下方が開口した中空構造とすると共に、この上部結合梁５内に蛍光灯等の照明器具を設置して、上記各展示プレート３、３の上面に載置した展示品を照らせる様にしている。
【００１１】
又、上記各展示フレーム２、２はそれぞれ、図７に詳示する様に、下方が開いたコ字形である１対の側枠６、６の両下端部同士を１対の下端結合枠７、７により、互いに結合して成る。又、これら両側枠６、６を構成する、それぞれ上記両支柱パネル１、１の奥行き方向に間隔をあけて鉛直方向に配置された１対ずつの支柱枠８、８に複数の取付孔９、９（図９）を、上下方向に等間隔に設けている。そして、これら各取付孔９、９を利用して、上記両側枠６、６の上下方向中間部同士を水平枠１１、１１により、互いに結合している。これら各水平枠１１、１１の両端部と上記両側枠６、６との結合部は図１１に示す様に、上記両下端結合枠７、７の両端部と上記両側枠６、６の両下端部との結合部は図１２に示す様に、それぞれ係脱自在なねじ構造物により構成している。この様な展示フレーム２、２は、それぞれの両端部に設けた上記両側枠６、６を、上記両支柱パネル１、１の互いに対向する側面に、ねじとナット等、係脱自在なねじ構造物により結合固定している。例えば図示の例では、上記両支柱パネル１、１に形成した窓開口部１０、１０を、丁度１個の側枠６を内嵌できる大きさとする。又、これら各窓開口部１０、１０の中間部に、内向フランジ状の突条部を形成している。そして、この突条部に対して上記側枠６をねじ止め固定する。
【００１２】
何れにしても、前記上部結合梁５の両端部を上記両支柱パネル１、１の上端部同士の間に掛け渡すと共に、上記両展示フレーム２、２の両端部をこれら両支柱パネル１、１の中間部同士の間に掛け渡した状態で、両支柱パネル１、１が自立可能に組み合わされる。そこで、上記両展示フレーム２、２を構成する上記各水平枠１１、１１により前記各展示プレート３、３を支持すれば、工業製品等の展示物を展示可能になる。図示の例では、同じ展示プレート３、３を支持する為の、奥行き方向に離隔して配置した１対の水平枠１１、１１の高さを異ならせて（奥側を手前側よりも高くして）、上記各展示プレート３、３を傾斜させている。尚、本例の場合には、上記上部結合梁５の両側に、展示品の種類等を表示する為の表示パネル１２、１２を設置している。又、図１４に示す様に、上記各展示プレート３、３に、ボルト、ナット、紐等を用いて展示物を支持固定する為の多数の支持孔１６、１６を規則的に設けている。又、この様な展示プレート３、３は、上記各水平枠１１、１１に、ねじやピンにより固定できる。
【００１３】
図６の中間部の展示棚ユニット４は、上述の様な構成を有するが、図６の左側の展示棚ユニット４ａは、１対の展示フレーム２、２の下方に収納ボックス１３を設置している。この収納ボックス１３には、上記各展示プレート３、３上に展示すべき、入れ換え用の展示物や、展示物のカタログ等の他、動体展示の為の電源の制御器等を収納しておく。
又、図６の右側の展示棚ユニット４ｂは、各支柱パネル１、１の互いに対向する側面のうちの上下方向中間部にサポート板１４の水平方向両端部を、係脱自在なねじ構造物により結合固定している。そして、１組の展示フレーム２及び１枚の展示パネル１５を、上記サポート板１４の上方に設置している。又、このサポート板１４の下方に収納ボックス１３を設置している。更に、少なくとも何れかの支柱パネル１、１の一部に電源コンセント１７（図６）を設ける事もできる。
【００１４】
以上の説明は、支柱パネル１、１が平板状である場合に就いて説明した。この場合には、複数組の展示棚ユニット４、４ａ、４ｂは、直線状に配列される。これに対して、図２に示す様に、前記横断面形状がくさび形の支柱パネル１ａを介して１対の展示棚ユニット４、４（４ａ、４ｂ）を結合すれば、複数組の展示棚ユニット４、４（４ａ、４ｂ）を折れ曲がった状態に配列できる。そして、これらを組み合わせる事で、図１３の（Ａ）〜（Ｄ）に示す様に、展示場のブース内のレイアウトを、各種変更できる。
【００１５】
何れにしても、本発明の博覧会用工業製品の展示棚は、係脱自在なねじ構造物により、熟練の作業者でなくても、１対の支柱パネル１、１ａと展示フレーム２、２と上部結合梁５と、必要に応じてサポート板１４とを、組立、更に分解できる。又、これら各展示フレーム２、２に前記各展示プレート３、３を設置する事も、容易に行える。この為、展示棚全体の組立に要する時間が短くて済み、博覧会の準備に要する時間（設置及び撤去に要する時間）を短縮できる他、複数の博覧会に展示する場合に於ける、展示棚の設置に要するコストを削減できる。又、上記各展示プレート３、３を傾斜した状態で設置できる他、各種工業製品一般の展示を行えて、各種工業製品展示会に使用できる。更に、廃棄物を削減して環境負荷の低減を図れる。
【００１６】
尚、１対の支柱パネル１、１ａの上端部同士の間に掛け渡す上部結合梁５は、図示の様な円筒状に限らず、これら各支柱パネル１、１ａと同じ幅を有する板状或いは四角柱状にする事もできる。要は、これら各支柱パネル１、１ａの上端部同士をしっかりと結合固定できる構造であれば良い。
又、上記各展示プレート３、３は、光透過性の合成樹脂の他、光不透過性の合成樹脂や金属板により造る事もできる。
又、図示の例では、前記展示パネル１５に液晶モニタ２１を取り付けているが、この液晶モニタ２１の設置構造に関しては、図示の様な壁取付構造に限らず、横桟取付式、天井吊り下げ式、スタンド式等の構造も採用可能である。又、前記各表示パネル１２、１２に関しても、同様の取付構造を採用できる。
更に、前記各水平枠１１、１１等の所望部分に、図１５に示す様な構造で、細径の蛍光管１８を装着する事もできる。これら各水平枠１１、１１にこの蛍光管１８を装着するには、例えば、１対のクランプ金具１９、１９により、或いは１対の面状ファスナ（商品名マジックテープ）２０、２０により行なう。
【図面の簡単な説明】
【００１７】
【図１】本発明の実施の形態の１例を示す正面図。
【図２】同じく平面図。
【図３】同じく側面図。
【図４】図２のａ−ａ断面図。
【図５】同ｂ−ｂ断面図。
【図６】同別例を示す分解斜視図。
【図７】展示フレームの分解斜視図。
【図８】同じく正面図。
【図９】同じく側面図。
【図１０】同じく平面図。
【図１１】図８のｃ部拡大図。
【図１２】同じくｄ部拡大図。
【図１３】展示場のブース内のレイアウトの４例を示す平面図。
【図１４】展示プレートを取り出して示す図。
【図１５】照明用蛍光管の取付部を示す分解斜視図。
【符号の説明】
【００１８】
１、１ａ  支柱パネル
２    展示フレーム
３    展示プレート
４、４ａ、４ｂ  展示棚ユニット
５    上部結合梁
６    側枠
７    下端結合枠
８    支柱枠
９    取付孔
１０    窓開口部
１１    水平枠
１２    表示パネル
１３    収納ボックス
１４    サポート板
１５    展示パネル
１６    支持孔
１７    電源コンセント
１８    蛍光管
１９    クランプ金具
２０    面状ファスナ
２１    液晶モニタ
【図１】
2008093429.tif 000003
【図２】
2008093429.tif 000004
【図３】
2008093429.tif 000005
【図４】
2008093429.tif 000006
【図５】
2008093429.tif 000007
【図６】
2008093429.tif 000008
【図７】
2008093429.tif 000009
【図８】
2008093429.tif 000010
【図９】
2008093429.tif 000011
【図１０】
2008093429.tif 000012
【図１１】
2008093429.tif 000013
【図１２】
2008093429.tif 000014
【図１３】
2008093429.tif 000015
【図１４】
2008093429.tif 000016
【図１５】
2008093429.tif 000017